(57)【要約】      （修正有）【課題】表示ユニットをタイル状に配列した大画面表示装置のユニットの交換作業を容易かつ迅速に行なえるＬＥＤ表示装置を提供する。【解決手段】ＬＥＤ表示装置１は、複数のＬＥＤモジュール７および上下両端に取付部が突設されている取付枠を有する複数のＬＥＤユニット２，３と、ＬＥＤモジュール７の発光ダイオードを駆動する駆動装置４と、開口３０に開口３０の横方向にＬＥＤユニット２，３を隣接して配設しているケース本体５と、ケース本体５にＬＥＤユニット２，３の取付枠の取付部を着脱可能に固定している固定手段６，６Ａとを具備している。【選択図】図１
2011053313.tif 000002
【特許請求の範囲】
【請求項１】
基板に複数の発光ダイオードをマトリクス状に配列している複数のＬＥＤモジュールおよびこのＬＥＤモジュールを隣接するように配設しているとともに上下両端に取付部が突設されている取付枠を有する複数のＬＥＤユニットと；
前記発光ダイオードを駆動する駆動装置と；
前面に開口を有し、前記発光ダイオードの放射光が前面側から出射するように前記開口にかつ前記開口の横方向に前記取付枠の取付部が前記開口の縦方向となるようにして前記ＬＥＤユニットを隣接して配設しているケース本体と；
このケース本体に前記ＬＥＤユニットの取付枠の取付部を着脱可能に固定している固定手段と；
を具備していることを特徴とするＬＥＤ表示装置。
【請求項２】
前記ケース本体は、前記開口の横方向に前記開口を挟むようにして一対のユニット取付板が設けられており、前記ＬＥＤユニットは、それぞれ前記取付枠の取付部が前記一対のユニット取付板に取り付けられていることを特徴とする請求項１記載のＬＥＤ表示装置。
【発明の詳細な説明】
【技術分野】
【０００１】
本発明は、発光ダイオード（ＬＥＤ）により表示部を構成し映像を表示するＬＥＤ表示装置に関する。
【背景技術】
【０００２】
ＬＥＤ表示装置は、例えば道路用の信号灯器や空港用の誘導案内灯などに使用されているが、使用中の故障や性能の劣化などが不可避である。このため、故障発生時に修理が行われるとともに、定期的に保守点検が行われている。ここで、修理や保守点検の作業が容易にかつ迅速に行えることが強く望まれている。
【０００３】
そこで、修理や保守点検の作業性に優れた構造を有する大画面ＬＥＤ表示システムが提案されている（特許文献１参照。）。この従来技術の大画面ＬＥＤ表示システムは、位置決めベース、外枠体、背面バーおよび補強材で構成されるユニット結合フレームを用いて、３２台の表示装置ユニットを一体的に支持している。すなわち、各表示装置ユニットは、その背面側がユニット結合フレームによって支持されている。ユニット結合フレームは、位置決めベースを外枠体の基部にて下から支え、各表示装置ユニットの背面に背面バーを取り付けることで一体的に支持している。各表示装置ユニットは、外枠体の基部によって支持されている位置決めベースを起点に１台ずつ組み付けていくことで、ユニット結合フレームに取り付けるものである。
【０００４】
そして、位置決めベースを基準にして行列配置された表示装置ユニットは、連結プレートと止着ピンによって互いにより密着されている。また、ユニット結合フレームの各背面バーと、各表示装置ユニットの背面の支柱とがネジ止めされ、３２台の表示装置ユニットが正確に位置決めされて一体化されている。
【０００５】
そして、修理の必要のある表示装置ユニットがあれば、そのユニットだけをユニット結合フレームから取り外して交換すればよいというものである。また、システムを構成する部品の最小単位は、ＬＥＤランプを行列配置しているＬＥＤタイルであり、このＬＥＤタイルは、タイル並列基板の正面にコネクタの結合により取り付けられており、画面の正面側にて必要なＬＥＤタイルだけを簡単に着脱することができるので、ＬＥＤチップの故障や駆動回路の故障に簡便に対処できるというものである。
【先行技術文献】
【特許文献】
【０００６】
【特許文献１】特開２００６−１４５８９０号公報（第５、８頁、第５−８図）
【発明の概要】
【発明が解決しようとする課題】
【０００７】
しかしながら、表示装置ユニットを交換するには、位置決めベースを起点に１台ずつ組み付けた表示装置ユニットを取り外すので、１台の表示装置ユニットを交換する場合であっても、位置決めベースに近く配設されているほど、交換を要しない表示装置ユニットを多く取り外す必要がある。
【０００８】
そして、取り外す表示装置ユニットに対して、表示装置ユニット同士を連結している連結プレートを取り外すとともに、ユニット結合フレームの背面バーと各表示装置ユニットの背面の支柱とのネジ止めを解除する必要がある。この結果、表示装置ユニットの取り外し作業に時間を要する。また、交換する表示装置ユニットの組み付け、取り付けにも、少なくとも上記の取り外し作業時間を要する。すなわち、特許文献１の大画面ＬＥＤ表示システムは、修理の必要のある表示装置ユニットの交換を容易にかつ迅速に行えず、長時間の作業を要するという欠点を有する。
【０００９】
例えば、空港の誘導案内灯は、通常、夜間の限定された作業時間内に保守点検を行う必要があり、表示装置ユニットの交換作業に長時間を要すると、多数設置された全ての誘導案内灯の保守点検ができなくなるおそれがある。
【００１０】
本発明は、ＬＥＤユニットの着脱が容易にかつ迅速に行えるＬＥＤ表示装置を提供することを目的とする。
【課題を解決するための手段】
【００１１】
請求項１に記載のＬＥＤ表示装置の発明は、基板に複数の発光ダイオードをマトリクス状に配列している複数のＬＥＤモジュールおよびこのＬＥＤモジュールを隣接するように配設しているとともに上下両端に取付部が突設されている取付枠を有する複数のＬＥＤユニットと；前記発光ダイオードを駆動する駆動装置と；前面に開口を有し、前記発光ダイオードの放射光が前面側から出射するように前記開口にかつ前記開口の横方向に前記取付枠の取付部が前記開口の縦方向となるようにして前記ＬＥＤユニットを隣接して配設しているケース本体と；このケース本体に前記ＬＥＤユニットの取付枠の取付部を着脱可能に固定している固定手段と；を具備していることを特徴とする。
【００１２】
本発明および以下の発明において、特に言及しない限り、各構成は以下による。
【００１３】
「取付枠の上下両端」とは、ＬＥＤ表示装置を例えば地上面に設置したときの重力が作用する方向の天空側を上端とし、地上面側を下端とすることを意味する。また、「開口の縦方向」とは、重力の作用方向を意味し、「開口の横方向」とは、重力の作用方向と直交する方向を意味する。
【００１４】
発光ダイオード（ＬＥＤ）は、映像等を表示する表示部を構成し、この表示部は、例えばフルカラーで文字等を可変表示するＶＭＳ（バリアブル・メッセージ・サイン）として構成されてもよい。
【００１５】
駆動装置は、発光ダイオードを点灯して文字等を表示させるものであり、その表示を適宜可変できる機能を備えていてもよい。
【００１６】
固定手段は、例えば、ねじ（ボルト）又はねじおよびナットとすることができる。ねじの場合、ケース本体およびＬＥＤユニットの取付部の一方にねじの挿通孔が形成され、他方にねじ孔（タップ）が形成され、挿通孔に挿通させたねじがねじ孔に螺合されることにより、ＬＥＤユニットの取付部がケース本体に固定される。また、ねじおよびナットの場合、ケース本体およびＬＥＤユニットの取付部の両方にねじの挿通孔が形成され、両方の挿通孔に挿通させたねじにナットが螺着されることにより、ＬＥＤユニットの取付部およびケース本体が共締めされて固定される。
【００１７】
本発明によれば、ＬＥＤユニットは、その取付枠の取付部を固定手段によりケース本体に取り付けることにより、ケース本体に固定されケース本体の開口に配設される。また、ＬＥＤユニットは、固定手段を取り除くことにより、その取付枠の取付部がケース本体に固定されなくなり、ケース本体から取り外される。ＬＥＤユニットは、個別にケース本体に着脱される。
【００１８】
請求項２に記載のＬＥＤ表示装置の発明は、請求項１記載のＬＥＤ表示装置の発明において、前記ケース本体は、前記開口の横方向に前記開口を挟むようにして一対のユニット取付板が設けられており、前記ＬＥＤユニットは、それぞれ前記取付枠の取付部が前記一対のユニット取付板に取り付けられていることを特徴とする。
【００１９】
本発明によれば、ＬＥＤユニットは、その取付枠の取付部がケース本体の一対のユニット取付板に固定手段により着脱されることにより、ケース本体に取り付けられ、又は取り外される。
【発明の効果】
【００２０】
請求項１の発明によれば、複数のＬＥＤユニットは、それぞれ取付枠の取付部をケース本体に固定手段により着脱させることにより、ケース本体に取り付けられ、又はケース本体から取り外されるので、修理や保守点検の場合に、ＬＥＤユニットの交換を容易にかつ迅速に行うことができ、交換作業を短時間で行うことができる。
【００２１】
請求項２の発明によれば、ＬＥＤユニットは、ケース本体の一対のユニット取付板に着脱されるので、ケース本体におけるＬＥＤユニットの取付け構造を簡素にすることができ、これにより、保守点検を容易にかつ迅速に行わせることができて作業性を向上させることができる。
【図面の簡単な説明】
【００２２】
【図１】本発明の実施例１を示すＬＥＤ表示装置の正面図。
【図２】同じく、ＬＥＤ表示装置の平面図。
【図３】同じく、ＬＥＤ表示装置の背面図。
【図４】同じく、ＬＥＤ表示装置の右側面図。
【図５】同じく、図４のＸ−Ｘ方向の断面図。
【図６】同じく、ＬＥＤ表示装置の保護カバーの開扉状態を示す側面図。
【図７】同じく、ＬＥＤユニットを示し、（ａ）は概略正面図、（ｂ）は概略側面図。
【図８】同じく、取付枠の概略正面図。
【図９】同じく、他の取付枠の概略正面図。
【図１０】同じく、ＬＥＤユニットの取付状態を示す概略側面図。
【図１１】同じく、図１０の部分拡大図を示し、（ａ）はＡ部分拡大図、（ｂ）はＢ部分拡大図。
【発明を実施するための形態】
【００２３】
以下、本発明の一実施の形態について、図面を参照して説明する。
【００２４】
本発明において、複数のＬＥＤユニットは、ケース本体の開口の横方向に隣接して配設されるとともに、上下両端に設けられた取付部がケース本体に固定手段により着脱可能に取り付けられる。ＬＥＤユニットは、ケース本体から個別に着脱される。
【実施例１】
【００２５】
図１ないし図１１は、本発明の実施例１を示し、図１はＬＥＤ表示装置の正面図、図２はＬＥＤ表示装置の平面図、図３はＬＥＤ表示装置の背面図、図４はＬＥＤ表示装置の右側面図、図５は図４のＸ−Ｘ方向の断面図、図６はＬＥＤ表示装置の保護カバーの開扉状態を示す側面図、図７はＬＥＤユニットを示し、（ａ）は概略正面図、（ｂ）は概略側面図、図８は取付枠の概略正面図、図９は他の取付枠の概略正面図、図１０はＬＥＤユニットの取付状態を示す概略側面図、図１１は図１０の部分拡大図を示し、（ａ）はＡ部分拡大図、（ｂ）はＢ部分拡大図である。
【００２６】
図１において、ＬＥＤ表示装置１は、例えば空港の航空機を滑走路に誘導する誘導路の両側または片側に配設される誘導案内灯であり、ＬＥＤユニット２，３、駆動装置４、ケース本体５および固定手段としてのねじ６，６Ａを有して構成されている。そして、ＬＥＤ表示装置１は、３個のＬＥＤユニット２および１個のＬＥＤユニット３を図中横方向に配設し、複数個のＬＥＤモジュール７を５行１１列のマトリクスに配列することにより構成されている。
【００２７】
ＬＥＤユニット２は、図７に示すように、複数個のＬＥＤモジュール７および取付枠８を有して構成されている。ＬＥＤモジュール７は、例えば矩形であって銅箔パターン等により回路を形成した基板としてのプリント基板９上に複数の発光ダイオード（ＬＥＤ）１０を所要大のマトリクス状に配列し実装することにより形成されている。発光ダイオード１０は、赤、緑、青の３色の各ＬＥＤチップを例えば約２ｍｍ角の平面実装型パッケージに一体的に内蔵している。ここで、プリント基板９は、いわゆるＳＭＤ（Ｓｕｒｆａｃｅ  Ｍｏｕｎｔ  Ｄｅｖｉｃｅ）型やＣＯＢ（Ｃｈｉｐ  Ｏｎ  Ｂｏｒｄ）型で構成してもよい。そして、ＬＥＤモジュール７は、取付枠８に５行３列で隣接するように配設されている。
【００２８】
取付枠８は、例えばステンレス（ＳＵＳ）からなり、所定の高さＨ１を有する長方形の枠体に形成され、図８に示すように、平坦状の上面８ａに上下方向および左右方向にそれぞれ複数のフレーム１１，１２が設けられ、そのフレーム１１，１２間を矩形の開口１３としている。すなわち、上面８ａに打ち抜きにより開口１３を形成することにより、開口１３，１３間にフレーム１１，１２を形成している。また、下面８ｂにも、同様にして図示しないフレームおよび開口が形成されている。
【００２９】
そして、下面８ｂの上端には、取付部としての複数個の取付耳１４が所定の間隔をおいて突設されている。取付耳１４は、略長方形の平板であり、挿通孔１５が形成されている。また、下面８ｂの下端には、取付部としての複数個の取付金具１６が所定の間隔をおいて突設されている。取付金具１６は、取付耳１４に対応して設けられ、図７（ｂ）に示すように、上面８ａ側に突出する断面Ｕ字状に形成されている。取付金具１６の下面１６ｂは、取付枠８の下面８ｂおよび取付耳１４と同一面状となっている。そして、取付金具１６の上面１６ａには、図８に示すように、挿通孔１７が形成されている。取付耳１４の各挿通孔１５および取付金具１６の各挿通孔１７は、取付枠８の上下方向において、それぞれ同一直線上となるように設けられている。
【００３０】
取付枠８の上面８ａのフレーム１２には、開口１３を挟んで一対の位置決め孔１８，１８が形成されている。また、フレーム１２には、開口１３ごとに複数個の取付け孔１９が形成されている。各ＬＥＤモジュール７は、その位置決めピンが一対の位置決め孔１８，１８に挿入された後、そのねじ孔に取付枠８の下面８ｂ側から取付け孔１９に挿通されたねじが螺合されることにより、取付枠８の上面８ａに固定される。ＬＥＤモジュール７は、図８中、点線で包囲された領域に配設され、隣り合うＬＥＤモジュール７と密接または近接する。こうして、取付枠８は、図７（ａ）に示すように、ＬＥＤモジュール７を５行３列に配設している。
【００３１】
また、取付枠８は、図７（ｂ）に示すように、その下面８ｂに取り付けたフレーム２０，２０に端子台２１を設けている。この端子台２１は、各ＬＥＤモジュール７のプリント基板９に電気接続されている。端子台２１は、ケーブルを介して図示しない電源装置に接続されている。また、取付枠８の上端側の側面には、把手２２が設けられている。ＬＥＤユニット２は、その把手２２を手に持って運搬できる。
【００３２】
ＬＥＤユニット３は、図９に示す取付枠２３にＬＥＤモジュール７を５行２列に配設して構成されている。取付枠２３は、取付枠８と大きさが異なる以外、ほぼ同様に形成されている。取付枠２３は、取付枠８に対して左右方向の大きさが小さい分、取付部としての取付耳１４および取付金具１６が少なくそれぞれ２個設けられている。
【００３３】
図１において、本体ケース５は、例えばステンレス（ＳＵＳ）により、正面形状が横方向に長い長方形で奥行きが浅い扁平角筒状に形成され、ＬＥＤユニット２，３、上下一対のファン２４，２５の複数対、駆動装置４および図示しない熱交換装置などが収容されている。そして、天板５ａの外面上に、左右一対の長方形平板状の上部遮熱板２６，２７を所要の間隙を置いて配設し、さらに、左右両側面５ｂ，５ｃの外面には、その左右両側面５ｂ，５ｃとほぼ同形状の平板状の側面遮熱板２８，２９を所要の間隙を置いてそれぞれ配設している。これら遮熱板２６〜２９は、遮熱性が高い金属板等により構成され、太陽光等を遮光、遮熱する一方、外気による本体ケース５への温度上昇を抑制する。
【００３４】
そして、本体ケース５は、ＬＥＤユニット２，３の投光側である前面に対向する前面を投光開口（開口）３０としてほぼ全面的に開口させ、この投光開口３０を有する前端には、図２に示すように、その投光開口３０のほぼ全面を閉じるアクリル板等透光性を有する横長平板状の保護カバー３１を配設している。ここで、保護カバー３１は、例えばジェット航空機等のジェット噴流等所定の風圧に耐え得る風防カバーに構成されていることが好ましく、太陽光等の外光の反射を防止するノングレア処理を施してもよい。
保護カバー３１は、その上端部をその長手方向に所要のピッチで配設された複数のヒンジ３２により揺動可能に取り付けて開閉可能に構成されている。また、図６に示すように、この保護カバー３１の左右両側部に伸縮自在の棒状の左右一対のガスダンパ３３，３３の一端部をそれぞれ揺動可能に取り付ける一方、これら一対のガスダンパ３３，３３の他端部を、本体ケース５の投光開口３０端側の左右両側部に取り付け、保護カバー３１の開扉状態をこれらガスダンパ３３，３３により保持し得るように構成されている。
【００３５】
また、本体ケース５は、図３に示すように、背面に背面扉３４を配設している。背面扉３４は、左右一対の背面扉３４ａ，３４ｂからなり、ハンドル３５ａ，３５ｂを操作することにより、その中央部から左右に開閉する観音開き構造となっている。各背面扉３４ａ，３４ｂは、その外面に小扉３６をそれぞれ開閉可能に設けている。そして、本体ケース５は、その背面扉３４の内面に図示しない熱交換装置を配設している。背面扉３４ａ，３４ｂのそれぞれの外面には、小扉３６を介して外気を本体ケース５内へ吸い込む給気フード３７が突設され、この給気フード３７の上方に、本体ケース５内の空気を外気に排気する排気フード３８が突設されている。熱交換装置は、本体ケース５内の空気を、給気フード３７から本体ケース５内へ導入した外気により熱交換して冷却する。
【００３６】
そして、ケース本体５は、図５に示すように、開口３０の前部側であって、開口３０の横方向に開口３０を挟むようにして、一対のユニット取付板３９，４０の複数対および一対のユニット取付板４１，４２を設けている。すなわち、ユニット取付板３９〜４２は、それらの取付面３９ａ〜４２ａが同一面状となるように配設されている。そして、一対のユニット取付板３９，４０には、ＬＥＤユニット２が取り付けられ、一対のユニット取付板４１，４２には、ＬＥＤユニット３が取り付けられている。
【００３７】
一対のユニット取付板３９，４０および一対のユニット取付板４１，４２は、例えばステンレス（ＳＵＳ）からなり、図１０に示すように、断面Ｌ形に形成され、ケース本体５の前部上端部内面５ｄおよび前部下端部内面５ｅに、例えばスポット溶接により固着されている。このとき、開口３０の縦方向（ケース本体５の上下方向）において、ユニット取付板３９（４１）の取付面３９ａ（４１ａ）と、ユニット取付板４０（４２）の取付面４０ａ（４２ａ）が同一直線上に位置している。
【００３８】
そして、ユニット取付板３９（４１）の取付面３９ａ（４１ａ）には、図１１（ａ）に示すように、ＬＥＤユニット２，３の取付耳１４の取付け孔１５に対応するねじ孔（タップ）４３が設けられ、ユニット取付板４０（４２）の取付面４０ａ（４２ａ）には、図１１（ｂ）に示すように、ＬＥＤユニット２，３の取付金具１６の取付け孔１７に対応するねじ孔（タップ）４４が設けられている。
【００３９】
そして、ＬＥＤユニット２（３）の取付耳１４は、その取付け孔１５にワッシャ４５を介して挿入されたねじ６がユニット取付板３９（４１）のねじ孔４３に螺着されて、ユニット取付板３９（４１）に固定されている。また、ＬＥＤユニット２（３）の取付金具１６は、その取付け孔１７にワッシャ４６を介して挿入されたねじ６Ａがユニット取付板４０（４２）のねじ孔４４に螺着されて、ユニット取付板４０（４２）に固定されている。こうして、ＬＥＤユニット２は、図１０に示すように、ケース本体５の開口３０において、取付部としての取付耳１４および取付金具１６が開口３０の縦方向になるようにして一対のユニット取付板３９，４０に取り付けられている。また、ＬＥＤユニット３は、同様に一対のユニット取付板４１，４２に取り付けられている。
【００４０】
そして、各ＬＥＤユニット２がそれぞれ一対のユニット取付板３９，４０に取り付けられ、ＬＥＤユニット３が一対のユニット取付板４１，４２に取り付けられることにより、図５に示すように、ＬＥＤユニット２，３は、ケース本体５の開口３０にかつ開口３０の横方向に隣接して配設される。このとき、ＬＥＤユニット２，３は、ゴムパッキン４７を介して取り付けられている。すなわち、ＬＥＤユニット２，３同士の間から気流、水分や埃などが浸入することを防止している。そして、ＬＥＤユニット２，３の発光ダイオード１０の放射光は、ケース本体５の前面側から外方に出射され、表示を形成する。
【００４１】
また、一対のユニット取付板３９，４０および一対のユニット取付板４１，４２は、それらの取付面３９ａ〜４２ａのねじ孔４３，４３およびねじ孔４４，４４の間に、例えば四角形の複数の貫通孔４８，４９をそれぞれ形成し、各貫通孔４８，４９内に上述した上下一対のファン２４，２５をそれぞれ配設している。
【００４２】
各ファン２５は、ユニット取付板４０，４２の背面側から取付面４０ａ，４２ａ側の方向に、本体ケース５内の空気を送風する給気ファンにより構成され、各ファン２４は、ユニット取付板３９，４１の取付面３９ａ，４１ａ側からケース本体５の内部に空気を排気する排気ファンにより構成される。ケース本体５の内部に排気された空気は、上述した熱交換装置により熱交換される。
【００４３】
なお、各ユニット取付板３９およびユニット取付板４０は、一つのユニット取付板で形成してもよく、各ユニット取付板４１およびユニット取付板４２は、一つのユニット取付板で形成してもよい。
【００４４】
そして、ケース本体５のユニット取付板３９〜４１の背面側には、発光ダイオード１０を駆動する駆動装置４，４および監視装置５０，５０が配設されている。駆動装置４，４は、図示しない制御装置に接続され、制御装置からの映像信号等をケース本体５の開口３０に行方向に配列されたＬＥＤモジュール７にそれぞれ送信する。監視装置５０，５０は、映像信号等がＬＥＤモジュール７に送信されたか否かを確認する。
【００４５】
次に、本発明の実施例１の作用について述べる。
【００４６】
ＬＥＤユニット２，３を交換するには、まず、図６に示すように、保護カバー３１を開扉し、その開扉状態を左右一対のガスダンパ３３，３３により保持する。そして、交換するＬＥＤユニット２またはＬＥＤユニット３をケース本体５の前面側から取り外す。
【００４７】
すなわち、各ＬＥＤユニット２を取り外すには、図１１，１２において、例えば把手２２を手で掴み、取付枠８の取付耳１４をユニット取付板３９に固定しているねじ６の螺着を緩めて取り外し、取付枠８の取付金具１６をユニット取付板４０に固定しているねじ６Ａの螺着を緩めて取り外す。これにより、ＬＥＤユニット２は、一対のユニット取付板３９，４０から取り外される。
【００４８】
また、ＬＥＤユニット３を取り外すには、例えば把手２２を手で掴み、取付枠８の取付耳１４をユニット取付板４１に固定しているねじ６の螺着を緩めて取り外し、取付枠８の取付金具１６をユニット取付板４２に固定しているねじ６Ａの螺着を緩めて取り外す。これにより、ＬＥＤユニット３は、一対のユニット取付板４１，４２から取り外される。
【００４９】
そして、ＬＥＤユニット２またはＬＥＤユニット３をケース本体５に取り付けるには、上記とは逆の作業で、固定手段としてのねじ６，６Ａを用いて、一対のユニット取付板３９，４０または一対のユニット取付板４１，４２に取り付ける。
【００５０】
このように、各ＬＥＤユニット２，３は、それぞれ個別に取付枠８の取付部としての取付耳１４および取付金具１６をケース本体５に固定手段としてのねじ６，６Ａにより着脱させることにより、ケース本体５の開口３０に取り付けられ、又はケース本体５の開口３０から取り外されるので、修理や保守点検の場合に、ＬＥＤユニット２，３の交換を容易にかつ迅速に行うことができ、交換作業を短時間で行うことができる。
【００５１】
また、ＬＥＤユニット２およびＬＥＤユニット３は、ケース本体５の一対のユニット取付板３９，４０および一対のユニット取付板４１，４２に着脱されるので、ケース本体５におけるＬＥＤユニット２，３の取付け構造を簡素にすることができる。これにより、ＬＥＤ表示装置１の保守点検を容易にかつ迅速に行わせることができて作業性を向上させることができる。
【００５２】
なお、固定手段は、ねじ６，６Ａに限定されるものではなく、例えば、取付枠８の取付部およびユニット取付板３９〜４２を着脱可能かつ固定可能な係止部および被係止部に形成したものであってもよく、ユニット取付板３９〜４２が取付枠８の取付部を自動的に連結、固定する構造に形成されたものなどであってもよい。
【産業上の利用可能性】
【００５３】
本発明のＬＥＤ表示装置は、道路、空港および広場などで文字や映像を表示することにより、信号装置、案内装置、看板・広告装置や映像装置として利用可能である。
【符号の説明】
【００５４】
１…ＬＥＤ表示装置、  ２，３…ＬＥＤユニット、  ４…駆動装置、  ５…ケース本体、  ６，６Ａ…固定手段としてのねじ、  ７…ＬＥＤモジュール、  ８…取付枠、  １３…開口、  １４…取付部としての取付耳、  １６…取付部としての取付金具、  ３９，４０…一対のユニット取付板、  ４１，４２…一対のユニット取付板
【図１】
2011053313.tif 000003
【図２】
2011053313.tif 000004
【図３】
2011053313.tif 000005
【図４】
2011053313.tif 000006
【図５】
2011053313.tif 000007
【図６】
2011053313.tif 000008
【図７】
2011053313.tif 000009
【図８】
2011053313.tif 000010
【図９】
2011053313.tif 000011
【図１０】
2011053313.tif 000012
【図１１】
2011053313.tif 000013